(57)【特許請求の範囲】
【請求項１】
多数の編針を装着したベッドを前後に対向して設けた横編機を使用して、少なくとも一つ以上の指股部を有し、指先側から掌に向けて編まれる手袋であって、指股部を挟んで編まれる一方の袋編み部分の編成を受け持つ編針と、指股部を挟んで編まれる他方の袋編み部分の編成を受け持つ編針、との間に少なくとも前後１本づつの空針を配置させ、前記一方の袋編み部分の編成を受け持つ編針に編糸を供給して一方の袋編み部分を編成し、続いて前記他方の袋編み部分の編成を受け持つ編針に編糸を供給して他方の袋編み部分を編成した後、前記各袋編み部分の編成を受け持つ編針の中で指股部に隣接する前後ベッドの編針と、各袋編み部分の間に配置された前記空針、に対して以下のステップで編糸を供給して編目形成を行うようにして少なくとも一つの指股部において各袋編み部の側端部が股閉じされ、且つ襠が形成されていることを特徴とする編み手袋；
ａ．指股部に向けて一方の袋編み部分の編成する受け持つ前後一方のベッドの編針に給糸して一方の袋編み部分のニットループを形成するステップ、
ｂ．給糸口を指股部のところで反転移動させるステップ、
ｃ．再度給糸口を指股部に向けて移動させて一方の袋編み部分の側端の編目を係止する前後の編針と、他方の袋編み部分との間に設けた空針および他方の袋編み部分の側端部の編目を係止する前後の編針に給糸して側端部の編目を係止する編針では編糸を引き込む各針の引き込み量を小さくしてオールドループがフックからノックオーバーしない度山タックの状態とし、空針には編糸をフックした状態とするステップ、
ｄ．給糸口を反転移動して一方の袋編み部分を編成する前後他方のベッドの編針に給糸して一方の袋編み部分のニットループを形成するステップ。
【請求項２】
前記編み手袋は、小指側から編み始め、薬指、中指、続いて人差指の順で四指の各指袋の編成を行った後、四本胴の編成を行い、しかる後に親指の指袋の編成を行った後、これに続けて五本胴を編成して編み上げられる手袋であって、前記指股部の編成が小指と薬指間の指股部において行われていることを特徴とする請求項１に記載の編み手袋。
【請求項３】
四本胴の編成の前に三本胴の編成が挿入されていることを特徴とする請求項２に記載の編み手袋。
【請求項４】
三本胴の編成の前に前記指股部の編成が行われることを特徴とする請求項３に記載の編み手袋。
【請求項５】
三本胴の編成の後に前記指股部の編成が行われることを特徴とする請求項３に記載の編み手袋。
【請求項６】
前記編み手袋は、小指側から編み始め、薬指、中指、続いて人差指の順で四指の各指袋の編成を行った後、四本胴の編成を行い、しかる後に親指の指袋の編成を行った後、これに続けて五本胴を編成して編み上げられる手袋であって、前記指股部の編成が親指と四本胴間の指股部において行われていることを特徴とする請求項１に記載の編み手袋。
【請求項７】
前記編み手袋は、ミトンであって、前記指股部の編成が親指と四本胴間の指股部において行われていることを特徴とする請求項６に記載の編み手袋。
【発明の詳細な説明】
技術分野
本発明は、着用した際にフィット性が高い指股部を有する手袋編機などの横編機によって編まれる編み手袋に関する。
背景技術
手袋は手袋編機などの小型の横編機を用いて編成される。手袋は、通常まず小指の指袋から編み始め、薬指、中指、人差指の順に各指袋が編まれる。次に小指から人差指までを一つの筒状体として四本胴を編成する。四本胴の編成の後、親指の編成が行なわれ、続いて親指と先に編まれた四本胴を一つにした五本胴が編まれ、しかる後手首部の編成が行われて終了する。
手袋編機には、各指袋間の付け根（指股部）に股重ね編成を施して該部分に孔があかないようにするためのカミソリと呼ばれる抑止杆が備えられている。カミソリを作用させて先に編成された指袋の編目のうち次に編成する指袋に近い側の２〜３目を抑えて編針に係止させた状態にし、この編目を係止した編針を次の指袋の編成にも使用して次の指袋の編成を行う。この動作が小指から人差指までの各指股部で行われるようにカミソリの位置をその都度移動させていく。そして人差指の指袋の編成が行われた後に、編糸を周回させて四本胴の編成を行い、各指股部に形成された股重ねの編目を重合させる。このような編成は四本胴と親指との間でも行われ、このように編まれた手袋の指股部は孔があかず、且つ強固なものに仕上げることができる。
しかし、小指から人差指までの四指の編成と四本胴の編成は上記のように行われるため各指股部が図８に示すようにラインＰ上に並んだ手袋１５となる。しかし実際の人の手は、小指と薬指間の指股部は薬指と中指間および中指と人差指間の各指股部よりも一段深く喰い込んでいる。そのため上記のように編成された手袋では、着用の際に手袋が小指と薬指間の指股部の奥深くまでフィットし難いという問題があった。
本出願人は上記した問題に対して特公昭６１−３２４２０号公報に記載の編成方法を先に提案した。これは四本の指袋を小指側から小指と薬指の間のみを股重ねをしないで順次編成し、次に薬指、中指、人差指に続けて三本胴を編成し、三本胴の編成の際に小指の指袋の指股部に隣接する側端の編目を係止した前後の針に編糸を供給して小指、三本胴間の指股を重合し、次に四本胴、親指、続いて五本胴を編成するものである。この方法では、三本胴の編成の間に小指が重合されるので小指と薬指間の指股部は他の指股部よりも一段深く喰い込んだものとなる。更に三本胴の編成の間にすぐ隣の小指側端の編目を係止した針に編糸を供給して三本胴と小指を重合するので指股部は股重ねがないにも係わらず孔もあかず非常に緊密なものとなる。
しかし、上記方法によって編まれた手袋では、指股部において小指と薬指の各側端部の編目同士が重合されるので着用の際に該部分に突っ張りが生じ、小指が三本胴側に引き寄せられてしまい折角深く形成した指股部が浮き上がってしまう。また従来の編み手袋では、親指と人差指間、厳密にいうと親指と四本胴間の指股部も股重ねされているので着用した際に上記と同じ理由で突っ張りが生じ、親指部分に圧迫感を与えるという問題があった。
本発明の課題は、着用した際に突っ張り感が少なくフィット性が高い指股部を有する編み手袋を提供することである。
発明の開示
本発明では、多数の編針を装着したベッドを前後に対向して設けた横編機を使用して、少なくとも一つ以上の指股部を有し、指先側から掌に向けて編まれる手袋であって、指股部を挟んで編まれる一方の袋編み部分の編成を受け持つ編針と、指股部を挟んで編まれる他方の袋編み部分の編成を受け持つ編針、との間に少なくとも前後１本づつの空針を配置させ、前記一方の袋編み部分の編成を受け持つ編針に編糸を供給して一方の袋編み部分を編成し、続いて前記他方の袋編み部分の編成を受け持つ編針に編糸を供給して他方の袋編み部分を編成した後、前記各袋編み部分の編成を受け持つ編針の中で指股部に隣接する前後ベッドの編針と、各袋編み部分の間に配置された前記空針、に対して、
ａ．指股部に向けて一方の袋編み部分の編成する受け持つ前後一方のベッドの編針に給糸して一方の袋編み部分のニットループを形成するステップ、
ｂ．給糸口を指股部のところで反転移動させるステップ、
ｃ．再度給糸口を指股部に向けて移動させて一方の袋編み部分の側端の編目を係止する前後の編針と、他方の袋編み部分との間に設けた空針および他方の袋編み部分の側端部の編目を係止する前後の編針に給糸して側端部の編目を係止する編針では編糸を引き込むの引き込み量を小さくしてオールドループがフックからノックオーバーしない度山タックの状態とし、空針には編糸をフックした状態とするステップ、
ｄ．給糸口を反転移動して一方の袋編み部分を編成する前後他方のベッドの編針に給糸して一方の袋編み部分のニットループを形成するステップ、
を行うことで少なくとも一つの指股部において各袋編み部の側端部が股閉じされ、且つ襠が形成された編み手袋が編成される。
また前記編み手袋は、小指側から編み始め、薬指、中指、続いて人差指の順で四指の各指袋の編成を行った後、四本胴の編成を行い、しかる後に親指の指袋の編成を行った後、これに続けて五本胴を編成して編み上げられる手袋であって、前記指股部の編成が小指と薬指間の指股部において行われている。
また四本胴の編成の前に三本胴の編成が挿入されている。
また三本胴の編成の前に前記指股部の編成が行われる。
また三本胴の編成の後に前記指股部の編成が行われる。
また前記編み手袋は、小指側から編み始め、薬指、中指、続いて人差指の順で四指の各指袋の編成を行った後、四本胴の編成を行い、しかる後に親指の指袋の編成を行った後、これに続けて五本胴を編成して編み上げられる手袋であって、前記指股部の編成が親指と四本胴間の指股部において行われている。
また前記編み手袋は、ミトンであって、前記指股部の編成が親指と四本胴間の指股部において行われている。
発明を実施するための最良の形態
次に本発明の手袋についての実施例を図面とともに以下詳細に説明する。図１は本実施例の編成方法によって編まれた手袋を示す。
本実施例に係る編み手袋は、多数の編針を装着したベッドを前後に対向して設けた横編機、例えば株式会社島精機製作所製のフルジャカード手袋編機（製品名：ＳＪＦ）を用いて編成することができる。本実施例は、小指２と薬指３間の指股部Ａが薬指３と中指４間および中指４と人差指５間の各指股部Ｂ，Ｃよりも一段深く（図１のｈ）喰い込んだ手袋１を編成する場合を示す。手袋は、通常、小指の指袋から編み始め、薬指、中指、人差指の順に各指袋が編まれた後、小指から人差指までを一つの筒状体として四本胴を編成する。それから四本胴を編成した後、親指の編成を行い、続いて親指と先に編まれた四本胴を一つにして五本胴、そして手首部の編成が続けて行われて編成を終了する。その際、各指股部の編成では、カミソリを作用させて隣接し合う各指の側端が重ね合わされる。しかし本実施例の注目すべき点は、小指２と薬指３の間の指股部分Ａの編成ではカミソリは使用せず後述する編成方法を採用する点である。またこれに組み合わせて小指２から人差指５までの各指袋を編成した後に四本胴８の編成に進む前に、薬指３、中指４および人差指５までを一つの筒状体として編成する三本胴７の編成が挿入される点が既知の手袋編成と異にする。既知の部分に関する各部の具体的な編成についてはその説明は省略するものとする。
図２は１０ゲージ、Ｍサイズの手袋１の各部位と針立ての例を示し、小指２は各ベッド１１針（前後ベッド合わせて２２針）、薬指３は各ベッド１３針、中指４と人差指５はそれぞれ１４針、そして親指６は１５針を使って指袋が編まれる。股重ねは、薬指３、中指４、人差指５の各指袋間の指股部Ｃ，Ｂ、および四本胴８と親指６間の指股部Ｄに各３針（前後ベッド合わせて６針）を使用して形成される。小指２と薬指３の間の指股部Ａには股重ねが形成されず、襠形成のための編針が前後に各１針が設けられる。
＜第１実施例＞
図３と図４は第１実施例に係る手袋１の四本胴８までの編成コース図を示す。手袋１の各指袋は従来と同様な方法で前ベッドと後ベッドの各針へ編糸が周回状に供給して袋編み編成される。まず小指２の指袋が針ｋ−ｕを使って編成される。次の薬指３の指袋は指股部Ａにある前後ベッドの針ｊ，ｊを空けて針ｗ−ｉを使って編成される。続く中指４の指袋が針Ｌ−Ｙ、人差指５の指袋が針Ａ−Ｎを使って編成される。本実施例では編糸は時計針方向に供給される。四指の編成が終了したときには、小指２と薬指３との間には空針ｊ，ｊが前後ベッドに１本づつ配置され、小指２以外の他の薬指３、中指４、人差指５の各指股部Ｂ，Ｃには股重ねが既に形成された状態となっている。
まずステップ１〜４で三本胴７の編成を行う。三本胴７は、人差指５、中指４、薬指３の編成に用いた編針Ａ−ｉを使って２ラウンド（周）編成する。ステップ１は右向き編成で後ベッドの針Ａ−ｉでニットループを形成し、ステップ８は左向き編成で前ベッドの針ｉ−Ａでニットループを形成する。このステップ１の編成の際に前ベッドの針Ｘ，Ｍでタックして人差指５と中指４および中指４と薬指３の指股部Ｃ，Ｄの前後の編地を綴じ合わせる。ステップ３，４は三本胴７の２ラウンド目で、針Ａ−ｉを使ってコース編成が行われる。
ステップ５〜９にかけて針Ａ−ｕを使って四本胴８のコース編成が行われ、その間に指股部Ａで襠と股閉じ編成が行われる。まずステップ５で給糸口を右に向けて移動して後ベッドの針Ａ−ｉに給糸してニットループを形成する。続くステップ６では針への給糸は行わず給糸口だけを反転移動させる。ステップ７で再度給糸口を右向きに移動させて薬指３の右側端の編目を係止する前後の針ｉ，ｉと、小指２と薬指３との間に設けた空針ｊ，ｊおよび小指２の左側端部の編目を係止する針ｋ，ｋ，ｌ，ｌに給糸する。このときの編成は、編糸を喰えて引き込む各針の引き込み量を小さくして針に係止するオールドループがフックからノックオーバーしない俗称、度山タックの状態とする。なおこれによって空針であった針ｊ，ｊは編糸をフックした状態となる。次のステップ８では給糸口を左に移動して前ベッドの針ｌ−ｉに給糸してニットループを形成する。このニットループ形成によって前ベッドの針ｉ，ｋ，ｌに係止されるループがノックオーバーされる。ステップ９で残る針ｉ−ｕに編糸を供給してニットループを形成することで四本胴８の最初のコース編成を完成する。上記ステップ７，８およびステップ９の前半部分の編成により指股部Ａにおいて襠の形成と股閉じを施して薬指３と小指２が連結される。続いてステップ１０の編成を行った後、ステップ１１と１２のコース編成を繰り返すことで所望長さの四本胴８を形成した後、親指６、五本胴９および手首部１０の編成が行われるがこれらは従来と同様な編成で行われるのでその説明は省略する。
＜第２実施例＞
図５と図６は第２実施例に係る手袋の編成コース図を示す。先の実施例では三本胴７を編成した後、四本胴８の編成の間で指股部Ａの襠および股閉じの編成を行った例を示したが、本実施例では薬指３の指袋を編成した後、次の中指４の編成に進む前に指股部Ａの襠と股閉じの編成を行う場合を説明する。
小指２の指袋を各針ｋ−ｕを使って編成した後、針ｊ，ｊを空けてステップ１，２に示すように薬指３の指袋の編成を受け持つ前ベッドの針ｗ−ｉと後ベッドの針ｉ−ｗに時計針方向に周回状に給糸して編成を繰り返すことで所望丈の薬指３の指袋が編成される。ステップ３を薬指３の指袋の最終のコース編成とし、給糸口を右向きに移動して後ベッドの針ｗ−ｉに給糸してニットループを形成する。次のステップ４〜６は先の実施例の６〜８に対応し、ステップ４では給糸口を反転移動させた後、ステップ５で再度給糸口を右向きに移動させて薬指の右側端の編目を係止する前後の針ｉ，ｉと、小指２と薬指３との間に設けた空針ｊ，ｊおよび小指２の左側端部の編目を係止する針ｋ，ｋ，ｌ，ｌに給糸して度山タックとする。次のステップ６では給糸口を左に移動して前ベッドの針ｌ−ｉに給糸してニットループを形成する。このニットループ形成によって前ベッドの針ｉ，ｋ，ｌに係止されるループがノックオーバーされる。これらステップ５，６の編成により指股部Ａにおいて襠の形成と股閉じを施して薬指３と小指２を連結する。ステップ６で薬指部３の編成を終えた後は公知の端糸処理の編成が不図示のルーパー・カッターで行われ、それに続いて続く中指４が前後ベッドの針Ｌ−Ｙ、人差指５の編成が針Ａ−Ｎを使って行われる。
三本胴７の編成が人差指５の編成に続いて行われる。三本胴７は、人差指５、中指４および薬指３の編成を受け持つ前後の編針Ａ−ｉを用いて２ラウンドのコース編成で行われる。ステップ７，８は１ラウンド目の編成を示し、ステップ７は右向き編成で後ベッドの針Ａ−ｉでニットループを形成し、ステップ８は左向き編成で前ベッドの針ｉ−Ａでニットループを編成する。このステップ７の編成の際に前ベッドの針Ｍ，Ｘをタックして人差指５と中指４および中指４と薬指３の指股部Ｃ，Ｄの前後の編地を綴じ合わせる。三本胴７の２ラウンド目では、ステップ９，１０に示すように小指２と薬指３間に設けた襠形成用の針ｊにも給糸して編成を行う。なお三本胴７の２ラウンド目の編成を１ラウンド目と同じ編成としてもよいが、針ｊに対して給糸してニットループを形成することで指股部の孔の発生をより一層抑えることができる。
上記では手袋の編成に使用する編機としてフルジャカード手袋編機を用いる場合を例に示した。フルジャカード編機の場合には選針アクチュエータで任意の針を選択することができるのでデザイン上の制約を受けることがない。しかし、作業手袋など無地の手袋を編成する編機として広く普及している編機、例えば島精機製作所製の手袋編機（機種名：ＳＦＧ）などでは選針アクチュエータに代えてドラム本体の外周面に挿入したピンで多数のカムを形成し、各カムに針駆動用バットの制御ジャックを摺接させ、ドラムの回転に伴いバットのベッドからの突出量を変更させることにより、バットとキャリッジのカムとの係合状態を変化させて、針を選択的に駆動させる方式を採っているが、これらについても挿入するピンの位置を変更することで実施することができる。特に第２実施例の編成ステップにより手袋を編成する場合には比較的少ない改造で対応することができる、といったメリットがある。
上記のように編成された手袋１では、小指２と薬指３間の指股部Ａは、これら指袋を編成する編針間に設けた前後ベッドの空針ｊ，ｊを用いて襠が形成され、この襠部を挟んで互いに股閉じして連結されることになる。そのため手袋１を着用した際に指股部分Ａにおいて小指２と薬指３の各指袋の側端の編目同士が直接重合されず襠部によって緩められることになるので突っ張らず小指の指袋を奥深くまで装着させることができる。特に三本胴７を２ラウンド編成しているので指股部Ａが他の指股部に対してより一層深く喰い込んだものとなってフィット性をより高める、更に指股部分Ａが上記した編成によって股閉じされているので指股部分に孔が開かない、といった効果を奏することができる。このような手袋はファッション手袋、作業手袋を始め種々の手袋として利用できる。特にコーティング手袋の原手に利用する場合でも手袋の型に小指を指股深くまで装着させた状態でコーティングできるので出来上がったコーティング手袋は装着感がよく作業がしやすい、また指股部が編成によって孔が開かないように股閉じされているのでコーティングの際に液剤が指股部から手袋内に浸透することがない。
なお上記は五指からなる手袋について、その小指と薬指間の指股部に適用させたものについて示したが、手袋の親指と四本胴との間の指股部に対しても適用可能である。図７は親指６と四本胴８間の指股Ｄにおける襠形成と股閉じの編成を示したステップ図を示す。この場合には前後の針Ｐ，Ｑの計４本の空針が使用される点を除けば先の実施例１の小指２と薬指３間の指股部の編成と同じように行われる。図７のステップ１〜５は、図４のステップ５〜９に対応するが、ステップ１〜５は五本胴９の最初のコース編成であり、その間に指股部Ｄの襠形成と股閉じの編成が行われる点が異なる。この例では襠部がＰ，Ｑの針で形成されるため更に親指の指股部分にゆとりができるので着用していても親指が窮屈に感じることがない。また五指からなる手袋に限らず親指と小指から人差指までの四指を一つの大きな指袋として編成したミトンと呼ばれる手袋に対しても同様に実施することができる。また襠形成のための空針の数を３本以上に増やしてもよい。また上記した実施例では、それぞれ三本胴を編成に含めたが三本胴の編成は必ずしも必要ではない。上記は１０ゲージの手袋の例であり、三本胴を含める場合にはその編成を行うラウンド数はゲージに応じて適宜値にすればよい。
産業上の利用可能性
上記のように編成された手袋では、指股部は、これら指袋を編成する編針間に設けた前後ベッドの空針を用いて襠が形成され、この襠部を挟んで互いに股閉じして連結されることになる。そのため手袋を着用した際に指股部分において隣接する袋編み部分の側端の編目同士が直接重合されず襠部によって緩められることになるので着用した際に突っ張りが少なくフィット性が高いものとなるとともに指股部分が上記した編成によって股閉じされているので孔が開かない。また小指と薬指との間の指股部に本発明を適用した手袋では指股部での突っ張りが抑えられるため小指を奥深くまで装着することができる。また三本胴の編成を挿入させた手袋では小指・薬指間の指股部を他の指股部よりも一層深く喰い込んだものに仕上げることができるので更にフィット性を高める。また親指と四本胴との間の指股部に対して適用した手袋では、着用した際に親指と四本胴間の指股部に突っ張りが生じなく親指部分に圧迫感を与えることがないので長時間着用していても疲れを感じさせない。
【図面の簡単な説明】
図１は本発明の実施例により編まれた手袋を示した図、図２は図１で示した手袋を手袋編機で編成する場合の説明図で各部位の名称や針立てを示した図、図３は第１実施例に係る手袋の編成ステップの前半部分を示した図、図４は第１実施例に係る手袋の編成ステップの後半部分を示した図、図５は第２実施例に係る手袋の編成ステップの前半部分を示した図、図６は第２実施例に係る手袋の編成ステップの後半部分を示した図、図７は親指と四本胴間の指股部Ｄにおける襠形成と股閉じの編成を示したステップ図、図８は従来の手袋を示した図をそれぞれ示す。
【図１】
0004049673.tif 000002
【図２】
0004049673.tif 000003
【図３】
0004049673.tif 000004
【図４】
0004049673.tif 000005
【図５】
0004049673.tif 000006
【図６】
0004049673.tif 000007
【図７】
0004049673.tif 000008
【図８】
0004049673.tif 000009